(57)【特許請求の範囲】
【請求項１】
少なくとも部分的に共用されるチャネルを介して主局に結合される複数の二次局を備え、前記二次局は補助信号によって変調された搬送波を発生して、前記搬送波を前記チャネルに供給する変調器を備え、前記補助信号は副搬送波を変調したデジタル送信信号を含み、前記副搬送波の周波数は前記二次局ごとに異なり、前記主局は前記チャネルから受信した信号から少なくとも再構成されたデジタル送信信号を取り出すための復調器を備える、通信ネットワークにおいて、前記デジタル送信信号はデータ・バーストを含み、前記デジタル信号の前記データ・バースト中の瞬時送信速度は前記デジタル送信信号の平均送信速度より高く、前記デジタル送信信号の前記平均送信速度はいくつかの前記二次局について異なり、それらの前記二次局についての前記瞬時送信速度は前記データ・バースト中は同じであることを特徴とする、通信ネットワーク。
【請求項２】
異なる前記二次局からの前記データ・バーストは等しい長さだけ持続し、前記データ・バーストの繰り返し率は特定の二次局の前記平均送信速度に比例することを特徴とする、請求項１に記載の通信ネットワーク。
【請求項３】
異なる前記二次局からの前記データ・バーストは同様な繰り返し率を有し、特定の二次局の前記データ・バーストの持続時間は前記特定の二次局の前記平均送信速度に比例することを特徴とする、請求項１に記載の通信ネットワーク。
【請求項４】
補助信号によって変調された搬送波を発生する変調器を備え、前記補助信号は副搬送波を変調したデジタル送信信号を含む、通信局において、前記デジタル送信信号はデータ・バーストを含み、前記デジタル送信信号の前記データ・バースト中の瞬時送信速度は前記デジタル送信信号の平均送信速度より高く、前記デジタル送信信号の前記平均送信速度は、別の通信局の前記平均送信速度とは異なり、前記瞬時送信速度は前記別の通信局のデータ・バースト中の瞬時送信速度と同じであることを特徴とする、通信局。
【請求項５】
前記データ・バーストは固定持続時間を持ち、前記データ・バーストの繰り返し率は特定の二次局の前記平均送信速度に比例することを特徴とする、請求項４に記載の通信局。
【請求項６】
前記データ・バーストは固定繰り返し率を持ち、特定の通信局の前記データ・バーストの持続時間は特定の二次局の前記平均送信速度に比例することを特徴とする、請求項４に記載の通信局。
【発明の詳細な説明】
【０００１】
【産業上の利用分野】
本発明は、少なくとも部分的に共用されるチャネルを介して主局に結合される複数の二次局を備え、前記二次局は補助信号によって変調された搬送波を発生して、その搬送波をチャネルに供給する変調器を備え、補助信号は副搬送波を変調したデジタル送信信号を含み、副搬送波の周波数は種々の二次局ごとに異なり、主局はチャネルから受けた信号から少なくとも再構成されたデジタル送信信号を取り出すための復調器を備える、通信ネットワークに関するものである。
【０００２】
本発明は前記通信ネットワークにおいて使用する通信局にも同様に関するものである。
【０００３】
【従来の技術】
この発明の詳細な説明の冒頭において述べたような通信ネットワークは、ブリティッシュ・テレコム・テクノロジー・ジャーナル（Ｂｒｉｔｉｓｈ  ＴＥＬＥＣＯＭ  Ｔｅｃｈｎｉｃａｌ  Ｊｏｕｒｎａｌ  ）第１１巻第１号、１９９３年１月号所載の、クラーク（Ｄ．Ｅ．Ａ．Ｃｌａｒｋｅ）、ムダール（Ｒ．Ｍｕｄｈａｒ）、パーサー（Ａ．Ｐｕｒｓｅｒ）による論文「光ファイバを使用するリンクの実用的な顧客アクセスをヨーロッパが主導する（Ａ  Ｅｕｒｏｐｅａｎ  ｉｎｉｔｉａｔｉｖｅ  ｌｅａｄｉｎｇ  ｔｏ  ａ  ｐｒａｃｔｉｃａｌ  ｃｕｓｔｏｍｅｒ  ａｃｅｓｓ  ｌｉｎｋ  ｕｓｉｎｇ  ｆｉｂｒｅ）」から知られている。
【０００４】
そのような通信システムは、主局と複数の二次局との間の、二次局によって共通に使用されるチャネルを介する、通信のために使用される。そのチャネルは、たとえば、光ファイバ、同軸ケーブル、または無線リンクによって構成できる。そのような通信システムの応用は、たとえば、受動光ネットワーク、ローカル・エリア・ネットワーク、衛星通信システム、および自動車電話システムである。
【０００５】
二次局用に共通チャネルを利用する通信ネットワークにおいては、二次局が情報を主局へ同時に伝送する結果として生ずる相互擾乱が存在しないか、ほんの僅か存在するようにすべきである。
【０００６】
一般に、これは、種々の二次局から到来する信号を主局における周波数選択フィルタによって分離できるように、各二次局からの信号にそれ自身の周波数を当てることによって行うことができる。別のやり方は、１度にただ１つの単一二次局が信号を主局へ伝送できるように、利用できるフレーム中に二次局ごとに異なる時間スロットを割り当てることである。
【０００７】
前記方法の簡単な別の方法は、前記雑誌の論文から知られている通信ネットワークであって、補助信号で変調された搬送波を発生する二次局を使用し、異なる二次局のための搬送波の周波数がほぼ同じであるような通信ネットワークである。その搬送波は、たとえば、補助信号によって振幅（強度）変調、周波数変調または位相変調され、その補助信号はデジタル信号による副搬送波の変調によって得られる。そうすると副搬送波は異なる二次局によって異なる。
【０００８】
主局における受信機は、種々の二次局から来る信号を復調し、分離するための復調器を備える。種々の二次局から来る信号の分離は、たとえば、帯域フィルタによって、または低域フィルタを後段の備えた同期検出器によって行うことができる。
【０００９】
前記雑誌論文には、他の二次局が特定の二次局から到来する信号に対して擾乱をひき起こすことが予測できる、と述べられている。この擾乱は、主局の受信機における周波数とほぼ同じ周波数を有する種々の搬送波からの干渉によってひき起こされる。この干渉の電力はとくに補助信号の帯域幅と、搬送波のスペクトル帯域幅と、種々の二次局の搬送周波数の差と、二次局の数とに依存する。擾乱は、二次局の数が増加すると増大し、種々の搬送波の間の周波数差が小さくなり、搬送波のスペクトル帯域幅が広くなるにつれて減少する。
【００１０】
実際には、そのような既知の通信ネットワークの最大伝送容量は、種々の二次局から来る信号の相互擾乱によって制約される。
【００１１】
【発明が解決しようとする課題】
本発明の目的は、二次局による相互擾乱をかなり減少した、詳細な説明の冒頭において述べた通信ネットワークを得ることである。この目的のために、本発明は、デジタル送信信号がデータ・バーストを含み、データ・バースト中のデジタル送信信号の瞬時送信速度はデジタル送信信号の平均送信速度より高いことを特徴とするものである。
【００１２】
連続伝送の代わりにデータ・バーストの形でデジタル信号を伝送することによって、能動二次局の平均数がかなり減少する。能動二次局の数は、データ・バースト中のデジタル信号の瞬時送信速度とデジタル送信信号の平均送信速度との比に等しい率だけ減少させられる。能動二次局の平均数の減少の結果として、二次局によってひき起こされる相互擾乱も減少する。
【００１３】
本発明の実施例は、デジタル送信信号の平均送信速度がいくつかの二次局について異なり、それらの二次局についての瞬時送信速度がデータ・バースト中は同じであることを特徴とするものである。
【００１４】
このようにして、主局は特定の送信速度を持つデータ・バーストを受信するために構成する必要があるだけであり、しかも、二次局の送信速度を異ならせることが依然として可能である。本発明の伝送装置においては、ＴＤＭＡ装置とは異なって、種々の二次局から到来するデータ・バーストを相互に同期させる必要はないことに注目されたい。
【００１５】
【実施例】
図１に示す通信ネットワークは主局１を備えている。この主局はチャネルによって二次局２〜１１に接続される。チャネルは、この場合は、光ファイバ・ネットワーク１２によって構成される。主局１によって伝送された光は結合点において分割され、更にネットワークを介して二次局２〜１１へ分配される。二次局によって伝送された光信号は結合点において組合わされて主局へ送られる。
【００１６】
図２に示す通信ネットワークは、ここでは無線リンクで構成されたチャネルを介して複数の移動二次局１４〜１９と情報を交換できる主局１３を備える。
【００１７】
図３に示す二次局２においては、入力信号Ｓｉが送信機２５へ加えられる。送信機２５においては、入力信号Ｓｉは符号器３７に加えられる。出力信号Ｓｉ′を出力する符号器３７の出力端子がバースト発生器３８の第１の入力端子に接続される。出力信号としてデジタル送信信号Ｓｉ″を出力するバースト発生器の出力端子が低域フィルタ３６の入力端子に接続される。低域フィルタ３６の出力端子は補助変調器３０の入力端子に接続される。補助変調器３０は周波数がｆｉである副搬送波を発生する発振器３４を有する。補助変調器３０の入力端子は乗算器回路３２の第１の入力端子によって形成される。発振器３４の出力端子は乗算器回路３２の第２の入力端子に接続される。補助変調器３０の出力端子を同様に形成する乗算器回路３２の出力端子が、加算器回路２８の第１の入力端子に接続される。一定値Ｉｂ１が加算器回路２８の第２の入力端子に加えられ、加算器回路２８の第３の入力端子に、可制御電流源２７から来る値Ｉｂ２が供給される。可制御電流源２７は低域フィルタ３６の出力信号によって制御される。加算器回路２８の出力端子が変調器、この場合には電気−光変換器２６によって構成されている、の入力端子に接続される。電気−光変換器２６の出力信号のための送信信号を生ずる電気−光変換器２６の出力端子が光学的送受切換器２０の第１の入力端子に接続される。光学的送受切換器２０の１つの出力端子が光−電気変換器２２に接続される。光−電気変換器２２の出力端子が受信機２４の入力端子に接続される。受信機２４の出力端子が制御器３５の入力端子に接続される。更に、受信機２４の出力端子で出力信号Ｓｕを利用できる。制御器３５の第１の出力端子がバースト発生器３８の第２の入力端子に接続される。
【００１８】
図３に示す実施例においては、入力信号Ｓｉは符号器３７によって符号化された信号Ｓｉ′に変換される。本発明によれば、バースト発生器３８は符号化された信号Ｓｉ′を送信速度が高くなったデータ・バーストへ変換する。更に、送信信号は、値０と＋Ｖをそれぞれ持つ電圧によって表される２進の「０」値と「１」値を有するデジタル記号を含む。濾波された送信信号Ｓｉ″によって振幅変調された副搬送波により形成され、周波数がｆｉである補助信号を、補助変調器の出力端子で得ることができる。副搬送波の周波数は種々の二次局で通常は異なる。あるいは、種々の二次局がフレーム中の種々の時間スロットで送信する場合に、時分割多重アクセス（ＴＤＭＡ）および副搬送波多重アクセス（ＳＣＭＡ）の組合わせが起きることが可能であるから、いくつかの二次局に対して同じ副搬送波周波数を選択することが可能である。信号Ｓｉ″中のデータ・バースト中に、電流源２７が追加の電流Ｉｂ２を加算器回路２８に供給するから、加算器回路２８は値Ｉｂ１＋Ｉｂ２を変調された搬送波に加える。Ｉｂ２の値は変調された搬送波振幅を超えるか、それに等しく選択されるから、電気−光変換器２６の入力信号の最小値はＩｂ１に等しい。副搬送波が信号Ｓｉ″によってオフにされると、（データ・バーストなし）、電流源２７によって供給される電流が減少させられ、その結果、電気−光変換器２６の入力信号が静止値Ｉｂ１まで減少させられる。低域フィルタ３６はバースト発生器３８の出力信号の帯域幅を制限するから、送信信号の帯域幅が制限される。ここで説明する状況においては、電気−光変換器の入力信号が光信号の強さの変化に変換される。電気−光変換器２６は光送信信号を送受切換器２０を介してチャネルへ送る。電気−光変換器の入力端子における信号Ｂを減衰させることによって、送信信号の振幅も減衰されるから、二次局によって引き起こされる相互擾乱が減少させられる。
【００１９】
チャネルから受けた信号が送受切換器２０を介して光−電気変換器２２に加えられる。光−電気変換器２２の出力信号から受信機２４は特定の局向けの信号Ｓｕを回収する。全ての二次局に対してチャネルが同じであるから、種々の二次局向けの信号が多重化したモードで送信される。これは時分割多重化、周波数分割多重化、または副搬送波多重化、あるいは、それらの組合わせによって行うことができる。
【００２０】
制御器３５はコマンドをバースト発生器３８へ送ることができる。それらのコマンドは信号Ｓｉ′の希望の平均送信速度を得るために、送信データ・バーストの時間周期と送信データ・バーストの繰り返し率の一方または両方を設定するためのコマンドとすることができる。あるいは、制御器３５が主局向けの制御信号をバースト発生器３５を介して送ることが可能である。それらの信号は、たとえば、平均送信速度を高くすることの許可を主局に求めるためのものであったり、二次局が平均送信速度を低くしようとしていることの告知とすることができる。送信速度を高くすることの許可要求の発信元は、たとえば、より多くの伝送容量を必要とするようになった端末器である。
【００２１】
制御器３５は制御信号を主局から受けることもできる。それらの制御信号は、特定の二次局がそれの平均送信速度を高くすることを許された特定の二次局、またはより高い優先度を持つ別の二次局が伝送容量を利用できるようにするために、平均送信速度を低くすることを許された特定の二次局を示す信号とすることができる。
【００２２】
図４に示す二次局２では入力信号が送信機２５に加えられる。送信機２５では入力信号Ｓｉは符号器３７に加えられる。出力信号Ｓｉ′を生ずる符号器３７の出力端子がバースト発生器３８の第１の入力端子に接続される。出力信号Ｓｉ″を生ずるバースト発生器３８の出力端子が低域フィルタ３６の入力端子に接続され、この低域フィルタ３６の出力端子が補助変調器３０の入力端子に接続される。補助変調器３０は平均周波数がｆｉである副搬送波を発生する発振器を含む。その副搬送波は補助変調器の入力信号によって周波数変調できる。この目的のために、補助変調器３０は周波数制御発振器４２を有する。補助変調器３０の出力端子はスイッチ４１を介して加算器回路２８の第１の入力端子に接続される。一定の値Ｉｂ１が加算器回路２８の第２の入力端子に加えられ、一定の値Ｉｂ２がスイッチ２９を介して加算器回路２８の第３の入力端子に加えられる。スイッチ２９と４１はバースト発生器３８から来る制御信号によって制御される。その信号は、バースト発生器２８の出力端子に利用できるデータ・バーストが存在することを示す。加算器回路２８の出力端子が変調器の入力端子に接続される。この場合にはその変調器は電気−光変換器２６によって構成される。送信信号が生ずる電気−光変換器２６の出力端子は光送受切換器２０の第１の入力端子に接続される。光送受切換器２０の出力端子は光−電気変換器２２の入力端子に接続される。光−電気変換器２２の出力端子は受信機２４の入力端子に接続される。受信機２４の出力端子には利用できる出力信号Ｓｕが存在する。
【００２３】
受信機２４の出力端子が制御器３５の入力端子に接続される。この制御器３５の第１の出力端子がバースト発生器３８の第２の入力端子に接続される。
【００２４】
図４に示す実施例においては、入力信号Ｓｉが符号器３７によって符号化された信号Ｓｉ′に変換される。バースト発生器３８は符号化された信号Ｓｉ′を本発明に従って送信速度が高いデータ・バーストに変換する。
【００２５】
補助変調器３０は送信信号Ｓｉ″に応答して変調された副搬送波を発生する。副搬送波の変調は、たとえば、振幅変調、周波数変調、または位相変調で行うことができる。それらの変調法の組合わせ、たとえば、直角振幅変調ＱＡＭも可能である。これは、電圧制御発振器４２の変調入力端子に、符号器３７によって符号化されない信号Ｓｉを、または符号化された信号Ｓｉを加えることによって行う。データ・バーストが送信されると、スイッチ２９と４１が閉じられ、電気−光変換器２６の入力端子に、変調された副搬送波と一定値Ｉｂ１＋Ｉｂ２の和で構成された信号が加えられる。有料通信（ｐａｙｌｏａｄ  ）が送信されないと、スイッチ２９と４１は開かれ、一定値Ｉｂ１を持つ信号だけが電気−光変換器へ加えられる。そうすると、有料通信が存在しないと、電気−光変換器によって僅かな信号だけを送信する必要があるから、その結果として擾乱は制限され続けることになる。
【００２６】
静止値すなわち一定値Ｉｂ１は０に等しいと考えられる。そうすると、一般に、変調速度が低下することになる。その理由は、光−電気変換器が完全にオフになっている状態から立ち上がるまでにある程度の時間を必要とするからである。この変調速度低下が許されるものとすると、補助信号がなければ光−電気変換器を完全にターンオフすることが有利なことがある。
【００２７】
符号器３７は、たとえば、パルス位置符号器とすることができる。そのようなパルス位置符号器は、各記号周期ごとに論理「０」または「１」値を持つことができる２進入力信号を、いくつかの記号周期中に１個のパルスによって占められる位置によって情報が符号化されているパルス位置変調された信号に変調する。たとえば、それらの記号の群がパルス位置符号化された信号に変換されるものとすると、この符号化は３つの２進記号の８つの可能な組合わせのおのおのにおけるパルスに、入力信号の３つの記号間隔にわたる８つの可能な分離した位置の１つの位置を採用させる。
【００２８】
パルス位置符号化の採用にはより広い帯域幅を必要とするが、副搬送波、およびしたがって送信信号、を切り換える時間が平均して短くなる結果ともなるために、二次局による相互擾乱がかなり減少する。
【００２９】
低域フィルタ３６が符号器３７の出力信号の帯域幅を制限するから、送信信号の帯域幅が制限される。
【００３０】
図４に示す二次局の受信部は、前記図３に示す二次局の受信部と同一である。図４における制御器の接続と機能は図３における制御器の接続と機能に一致する。
【００３１】
図５（ａ）は、符号器３７の出力端子で利用できる符号化されたデジタル信号Ｓｉ′の一部のタイミング波形図である。ｘ軸は波形の時間間隔を表す。
【００３２】
図５（ｂ）は、図５（ａ）に示す信号に関連するバースト発生器３８の出力信号のタイミング波形図を示す。図５（ｂ）は、データ・バースト中の瞬時送信速度が平均送信速度の５倍であることを示す。その結果、符号化されたデジタル信号Ｓｉ′の５つの記号周期のうちの４つの記号周期の間、電気−光変換器２６の出力信号を零またはほぼ零にできるから、この状況においては二次局による相互擾乱が５分の１に減少する。
【００３３】
図５（ｃ）は、図５（ａ）に示す信号の送信速度の半分の送信速度を持つ別の符号化された信号のタイミング波形図を示す。この波形図の尺度は図５（ａ）と図５（ｂ）で使用している尺度と同じである。
【００３４】
図５（ｄ）は、バースト発生器３８の出力信号のタイミング波形図を示す。その出力信号は図５（ｃ）に示す信号に関連する。図５（ｄ）は、データ・バースト中の瞬時送信速度が平均送信速度野１０倍であることを示す。その結果、電気−光変換器２６の出力信号を、信号Ｓｉ′の１０個の記号周期のうちの９つの記号周期の間、零またはほぼ零にできる。図５に示す例においては、データ・バースト中は瞬時送信速度は一定で、データ・バーストの適切な繰り返し率を設定することによって希望の平均送信速度が得られる。
【００３５】
図６に示す主局においては、二次局へ送信すべき信号が送信機６０へ加えられる。送信機６０の出力端子は電気−光変換器６２の入力端子に接続される。電気−光変換器６２の出力端子は光送受切換器６４の入力端子に接続される。
【００３６】
光送受切換器の入力／出力共用端子がチャネルに接続される。光送受切換器６４の出力端子が光−電気変換器６６の入力端子に接続される。この光−電気変換器の出力端子は複数の混合器段６８、７０、７２、７４の第１の入力端子に結合される。各混合器段の第２の入力端子に局部発振器の信号が供給される。この信号は混合器段ごとに異なる周波数ｆｉ（ｉ＝１，…，Ｎ）を持つ。混合器段６８の出力端子が低域フィルタ７６の入力端子に接続され、混合器段７０の出力端子が低域フィルタ７８の入力端子に接続され、混合器段７２の出力端子が低域フィルタ８０の入力端子に接続され、混合器段７４の出力端子が低域フィルタ８２の入力端子に接続される。低域フィルタ７６〜８２の出力端子が制御器７７の対応する入力端子に接続され、制御器７７の出力端子が送信機６０の入力端子に接続される。
【００３７】
主局１によって二次局へ送信する信号は送信機６０において組合わされる。これは、たとえば、種々の副搬送波における種々の信号の時分割多重化により、または変調により、行うことができる。送信機６０の出力信号は電気−光変換器６２によって光信号に変換される。その光信号は光送受切換器６４を介してチャネルへ供給される。
【００３８】
チャネルから来た光信号は光変換器６６によって補助信号に変換される。光変換器６６においては、各二次局においてそれ自身の副搬送波周波数で変調された送信信号を得ることができる。混合器段６８〜７４に加えられる副搬送波の周波数が、種々の二次局が使用する副搬送波の周波数に一致するから、各フィルタ７６〜８２の出力端子に１つの二次局の信号が現れる。
【００３９】
二次局における副搬送波が送信信号によって振幅変調されると、各混合器段の出力端子に復調された信号が現れる。その信号の副搬送波周波数は特定の二次局における副搬送波周波数に一致する。二次局によって送信されるデータ信号の最高周波数より高い周波数成分を低域フィルタ７６〜８２によって全て除去することにより、各低域フィルタの出力端子に特定の二次局から来た信号が現れる。制御器７７は二次局の各１つから信号を受けることができる。先に述べたように、それらの信号は、たとえば、特定の二次局の平均送信容量を増加する許可に対する要求とすることができる。制御器７７によって二次局へ送られる信号は、たとえば、特定の二次局の平均送信速度を高くすることの許可を得るか、得ないかを示し、またはある二次局が別の二次局に対するそれの送信速度を低下することの許可を得るか、得ないかを示す。
【００４０】
追加の送信速度を特定の二次局に割り当てるために、各二次局が実際に使用する送信速度を基にして最高送信速度が決定される。この最高送信速度Ｒｍａｘ１は次の式から求められる。
【００４１】
【数１】
0003584072.tif 000002
式（１）において、Ｃは定数、ｆ１は二次局の平均送信速度Ｒ１と、データ・バースト中の瞬時送信速度Ｒｂとの比、ｇ１は主局が受ける二次局からの信号の電力の測定値、Ｎは能動二次局の総数、ｆｉ（ｆｊ）は二次局ｉ（ｊ）の平均送信速度と瞬時送信速度との比、ｇｉ（ｇｊ）は二次局ｉ（ｊ）から来て主局によって受けられる信号の基準値に対して正規化された電力の測定値である。ｆとｇの大きさは０と１の間で常に変化する。定数Ｃは二次局の変調されていない搬送波のスペクトル帯域幅に比例し、かつ主局のために必要な信号対雑音比に逆比例するから、あるビット誤り率を超えることはない。ｇの全ての値が１に等しいとすると、式（１）は次式のようになる。
【００４２】
【数２】
0003584072.tif 000003
伝送容量を種々の二次局２に割り当てるために、全ての二次局に対するｆ１の実際の値が主局において次式から決定される。
【００４３】
【数３】
0003584072.tif 000004
また、Ｒｍａｘ１の値が全ての二次局に対するｆの実際の値から各二次局ごとに決定される。全ての二次局２に対してＲｍａｘ１の値がＲ１の値を超えたとすると、全ての二次局に対して十分な送信容量を利用できる。
【００４４】
特定の二次局ｋがそれの送信速度Ｒｋを高くすることの許可を求めたとすると、主局中の制御器７７が、他の全ての二次局２に対するＲｍａｘ１の値をその高くした送信速度を基にして計算することを要求する。全ての二次局に対する送信速度Ｒ１の実際の値がＲｍａｘ１の計算値より小さいとすると、要求が認められた二次局はそれの送信速度を高くすることを許される。全ての二次局の優先度が同じであれば、二次局ｋからの要求は断られる。二次局ｉの優先度が他の能動局のそれより高いとすると、制御器７７は二次局ｉの優先度より低い優先度を持つ１つまたは複数の他の二次局を要求して、それらの二次局の送信速度Ｒｉを低くできる。主局は、各二次局の実際の送信速度Ｒ１が値Ｒｍａｘ１より低いかどうかを常に検査する。
【００４５】
二次局においては、混合器段６８，…，７４が、振幅変調されている補助信号を復調するために基本的に構成される。補助信号のために別の変調方法を使用するならば、混合器段をそれに備えて調整する必要がある。種々の変調方法に対して使用できる希望の構成は、混合器段を直角混合器段として構成することであるから、直角分と同相分を各補助信号に対して利用できる。こうすることによって、適当な変調器を使用するならば、直角変調された補助信号を復調することも可能である。
【図面の簡単な説明】
【図１】本発明を実施できる受動光ネットワークを示した図。
【図２】本発明を実施できる移動通信用通信ネットワークを示した図。
【図３】本発明の通信ネットワークで使用する二次局の実施例の構成を示すブロック図。
【図４】本発明の通信ネットワークで使用する二次局の別の実施例の構成を示すブロック図。
【図５】本発明の実施例の動作を説明するための信号のタイミング波形図。
【図６】本発明の通信ネットワークで使用する主局の実施例の構成を示すブロック図。
【符号の説明】
１，１３  主局
２〜１１，１４〜１９  二次局
１２  光ファイバ・ネットワーク
２０，６４  光送受切換器
２２，６６  光−電気変換器
２４  受信機
２５  送信機
２６  電気−光変換器
２７  電流源
２８  加算器回路
３０  補助変調器
３２  乗算器回路
３４  発振器
３５，７７  制御器
３６，７６〜８２  低域フィルタ
３７  符号器
３８  バースト発生器
６８，７０，７２，７４  混合器段
【図１】
0003584072.tif 000005
【図２】
0003584072.tif 000006
【図３】
0003584072.tif 000007
【図４】
0003584072.tif 000008
【図５】
0003584072.tif 000009
【図６】
0003584072.tif 000010